Podtech/llm-jp-corpus-v4-ja_patent huggingface dataset:
【手続補正書】
【提出日】平成31年2月19日(2019.2.19)
【手続補正１】
【補正対象書類名】特許請求の範囲
【補正対象項目名】全文
【補正方法】変更
【補正の内容】
【特許請求の範囲】
【請求項１】
所定条件の成立に基づいて開閉可能な始動口と、
該始動口への遊技球の入球に基づいて大当りとするか否かの当否判定を実行する当否判定手段と、
前記当否判定にて大当りと判定されたことに基づいて大当り遊技を行う大当り遊技制御手段と、
前記当否判定の判定結果に基づいて演出を行う演出制御手段と、
前記大当りと判定されたことに基づいて大当り図柄を決定する大当り図柄決定手段と、を備え、
前記当否判定にて大当りと判定する確率が変動する確率変動機能と、前記始動口への入球を容易にする開放延長機能と、を前記大当り遊技終了後に作動させる遊技機において、
遊技状態として、前記確率変動機能と前記開放延長機能が共に作動する状態の場合は、前記当否判定の回数が第１判定回数に達するまで継続して作動し、前記開放延長機能のみが作動する状態の場合は、第２判定回数に達するまで継続して作動するように構成し、
前記演出として、少なくとも第１演出モードと第２演出モードを備え、
前記第１演出モードは、前記確率変動機能と前記開放延長機能が共に作動している場合は、少なくとも前記遊技状態を報知した状態で行い、
前記第２演出モードは、前記確率変動機能と前記開放延長機能が共に作動している場合は、前記遊技状態と前記第１判定回数の報知は行わずに前記第２判定回数を報知した状態で行い、前記当否判定の回数が前記第２判定回数を超えると第３演出モードに移行すること、
を特徴とする遊技機。
【手続補正２】
【補正対象書類名】明細書
【補正対象項目名】０００７
【補正方法】変更
【補正の内容】
【０００７】
上記課題に鑑みてなされた請求項１に係る発明は、所定条件の成立に基づいて開閉可能な始動口と、該始動口への遊技球の入球に基づいて大当りとするか否かの当否判定を実行する当否判定手段と、当否判定にて大当りと判定されたことに基づいて大当り遊技を行う大当り遊技制御手段と、当否判定の判定結果に基づいて演出を行う演出制御手段と、大当りと判定されたことに基づいて大当り図柄を決定する大当り図柄決定手段と、を備え、当否判定にて大当りと判定する確率が変動する確率変動機能と、始動口への入球を容易にする開放延長機能と、を大当り遊技終了後に作動させる遊技機に関するものである。
【手続補正３】
【補正対象書類名】明細書
【補正対象項目名】０００８
【補正方法】変更
【補正の内容】
【０００８】
この遊技機は、遊技状態として、確率変動機能と開放延長機能が共に作動する状態の場合は、当否判定の回数が第１判定回数に達するまで継続して作動し、開放延長機能のみが作動する状態の場合は、第２判定回数に達するまで継続して作動するように構成し、演出として、少なくとも第１演出モードと第２演出モードを備え、第１演出モードは、確率変動機能と開放延長機能が共に作動している場合は、少なくとも遊技状態を報知した状態で行い、第２演出モードは、確率変動機能と開放延長機能が共に作動している場合は、遊技状態と第１判定回数の報知は行わずに第２判定回数を報知した状態で行い、当否判定の回数が第２判定回数を超えると第３演出モードに移行する。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正書】
【提出日】令和1年9月27日(2019.9.27)
【手続補正１】
【補正対象書類名】特許請求の範囲
【補正対象項目名】全文
【補正方法】変更
【補正の内容】
【特許請求の範囲】
【請求項１】
モータからの動力を伝達して可動部材を移動させる動力伝達機構を有し、
前記動力伝達機構は、前記モータが一方向に回転出力する間に、前記可動部材を第１の方向に移動してから前記第１の方向とは反対側の第２の方向に移動させるように前記可動部材の移動の向きを逆転させる遊技機。
【請求項２】
前記可動部材は、回転可能に支持され、
前記動力伝達機構は、
前記可動部材の回転軸と同軸に配置され、前記可動部材と一体回転するピニオンと、
前記ピニオンに噛合するラックを備え、直線移動するように駆動されるスライド部材と、
前記スライド部材に形成されて、前記スライド部材の直動方向と直交する方向に延びた直動ガイド部と、
前記直動ガイド部に回転可能かつ直動可能に係合している係合突部を有し、前記モータによって回転駆動される回転部材と、を有する、請求項１に記載の遊技機。
【手続補正２】
【補正対象書類名】明細書
【補正対象項目名】０００１
【補正方法】変更
【補正の内容】
【０００１】
本発明は、遊技機に関する。
【手続補正３】
【補正対象書類名】明細書
【補正対象項目名】０００２
【補正方法】変更
【補正の内容】
【０００２】
従来、遊技機として、可動部材を有したものが知られている（例えば、特許文献１参照）。
【手続補正４】
【補正対象書類名】明細書
【補正対象項目名】０００４
【補正方法】削除
【補正の内容】
【手続補正５】
【補正対象書類名】明細書
【補正対象項目名】０００５
【補正方法】変更
【補正の内容】
【０００５】
今までにない可動部材の動かし方をする遊技機が求められている。
【手続補正６】
【補正対象書類名】明細書
【補正対象項目名】０００６
【補正方法】変更
【補正の内容】
【０００６】
上記課題を解決するためになされた請求項１の発明は、モータからの動力を伝達して可動部材を移動させる動力伝達機構を有し、前記動力伝達機構は、前記モータが一方向に回転出力する間に、前記可動部材を第１の方向に移動してから前記第１の方向とは反対側の第２の方向に移動させるように前記可動部材の移動の向きを逆転させる遊技機である。
【手続補正書】
【提出日】令和1年9月27日(2019.9.27)
【手続補正１】
【補正対象書類名】特許請求の範囲
【補正対象項目名】全文
【補正方法】変更
【補正の内容】
【特許請求の範囲】
【請求項１】
複数の演出部材構成体からなり、視認困難な待機位置と、視認容易となって所定の演出要素の意匠を構成する出現位置と、に変化可能な演出部材を備え、
前記演出部材の前面には、前後にずれた前後ずれ部が設けられ、
前記複数の演出部材構成体には、前記前後ずれ部を境にして分離する前側構成体と後側構成体とが設けられ、
前記前側構成体より後側で視認困難な待機位置と、前記前側構成体から前後方向と交差する方向に突出する突出位置とに移動可能な可動部材と、を備える遊技機。
【請求項２】
前記演出部材が前記出現位置のときに、前側から見て前記後側構成体と前記可動部材との間に前記前側構成体が配置される、請求項１に記載の遊技機。
【手続補正２】
【補正対象書類名】明細書
【補正対象項目名】０００１
【補正方法】変更
【補正の内容】
【０００１】
本発明は、遊技機に関する。
【手続補正３】
【補正対象書類名】明細書
【補正対象項目名】０００２
【補正方法】変更
【補正の内容】
【０００２】
従来、遊技機として、演出部材を備えたものが知られている（例えば、特許文献１参照）。
【手続補正４】
【補正対象書類名】明細書
【補正対象項目名】０００４
【補正方法】変更
【補正の内容】
【０００４】
今までにない演出部材の提供が可能な遊技機が望まれている。
【手続補正５】
【補正対象書類名】明細書
【補正対象項目名】０００５
【補正方法】削除
【補正の内容】
【手続補正６】
【補正対象書類名】明細書
【補正対象項目名】０００６
【補正方法】変更
【補正の内容】
【０００６】
上記目的を達成するためになされた請求項１の発明は、複数の演出部材構成体からなり、視認困難な待機位置と、視認容易となって所定の演出要素の意匠を構成する出現位置と、に変化可能な演出部材を備え、前記演出部材の前面には、前後にずれた前後ずれ部が設けられ、前記複数の演出部材構成体には、前記前後ずれ部を境にして分離する前側構成体と後側構成体とが設けられ、前記前側構成体より後側で視認困難な待機位置と、前記前側構成体から前後方向と交差する方向に突出する突出位置とに移動可能な可動部材と、を備える遊技機である。
【手続補正書】
【提出日】令和1年9月27日(2019.9.27)
【手続補正１】
【補正対象書類名】特許請求の範囲
【補正対象項目名】全文
【補正方法】変更
【補正の内容】
【特許請求の範囲】
【請求項１】
複数の演出部材構成体が相対的に移動することで、前側から見て、前記複数の演出部材構成体が分離した分離状態と、前記複数の演出部材構成体が近接した合体状態と、に変化する演出部材を備え、
前記複数の演出部材構成体には、前後にずれて配置される前側構成体と後側構成体とが設けられ、
前記前側構成体より後側で視認困難な待機位置と、前記前側構成体から前後方向と交差する方向に突出して視認容易な突出位置と、に移動可能な可動部材を備え、
前記可動部材は、前記演出部材が前記合体状態のときに、前記突出位置に配置される遊技機。
【請求項２】
前記可動部材が前記突出位置のときに、前記演出部材と前記可動部材とにより、所定の演出要素の意匠が構成される、請求項１に記載の遊技機。
【請求項３】
前記演出要素は、キャラクターである、請求項１又は２に記載の遊技機。
【手続補正２】
【補正対象書類名】明細書
【補正対象項目名】０００１
【補正方法】変更
【補正の内容】
【０００１】
本発明は、遊技機に関する。
【手続補正３】
【補正対象書類名】明細書
【補正対象項目名】０００２
【補正方法】変更
【補正の内容】
【０００２】
従来、遊技機として、演出部材を備えたものが知られている（例えば、特許文献１参照）。
【手続補正４】
【補正対象書類名】明細書
【補正対象項目名】０００４
【補正方法】変更
【補正の内容】
【０００４】
今までにない演出部材の提供が可能な遊技機が望まれている。
【手続補正５】
【補正対象書類名】明細書
【補正対象項目名】０００５
【補正方法】削除
【補正の内容】
【手続補正６】
【補正対象書類名】明細書
【補正対象項目名】０００６
【補正方法】変更
【補正の内容】
【０００６】
上記目的を達成するためになされた請求項１の発明は、複数の演出部材構成体が相対的に移動することで、前側から見て、前記複数の演出部材構成体が分離した分離状態と、前記複数の演出部材構成体が近接した合体状態と、に変化する演出部材を備え、前記複数の演出部材構成体には、前後にずれて配置される前側構成体と後側構成体とが設けられ、前記前側構成体より後側で視認困難な待機位置と、前記前側構成体から前後方向と交差する方向に突出して視認容易な突出位置と、に移動可能な可動部材を備え、前記可動部材は、前記演出部材が前記合体状態のときに、前記突出位置に配置される遊技機である。
【手続補正書】
【提出日】令和1年9月27日(2019.9.27)
【手続補正１】
【補正対象書類名】特許請求の範囲
【補正対象項目名】全文
【補正方法】変更
【補正の内容】
【特許請求の範囲】
【請求項１】
複数の演出部材構成体が相対的に移動することで、前側から見て、前記複数の演出部材構成体が分離した分離状態と、前記複数の演出部材構成体が近接した合体状態と、に変化する演出部材を備え、
前記複数の演出部材構成体には、第１構成体と、前記第１構成体に対して後側にずれて配置される第２構成体と、が設けられ、
前記第１構成体より後側で視認困難な待機位置と、前側から見て前記第１構成体に対して前記第２構成体とは反対側に配置される出現位置と、に前後方向と交差する方向に移動可能な可動部材を備えた遊技機。
【請求項２】
前記合体状態の前記演出部材の前面には、前後にずれた前後ずれ部が設けられ、
前記第１構成体と前記第２構成体とは、前記前後ずれ部を境にして分離する、請求項１に記載の遊技機。
【請求項３】
前記可動部材が前記出現位置のときに、前記演出部材と前記可動部材とにより、所定の演出要素の意匠が構成される、請求項１又は２に記載の遊技機。
【請求項４】
前記演出要素は、キャラクターである、請求項３に記載の遊技機。
【手続補正２】
【補正対象書類名】明細書
【補正対象項目名】０００１
【補正方法】変更
【補正の内容】
【０００１】
本発明は、遊技機に関する。
【手続補正３】
【補正対象書類名】明細書
【補正対象項目名】０００２
【補正方法】変更
【補正の内容】
【０００２】
従来、遊技機として、演出部材を備えたものが知られている（例えば、特許文献１参照）。
【手続補正４】
【補正対象書類名】明細書
【補正対象項目名】０００４
【補正方法】変更
【補正の内容】
【０００４】
今までにない演出部材の提供が可能な遊技機が望まれている。
【手続補正５】
【補正対象書類名】明細書
【補正対象項目名】０００５
【補正方法】削除
【補正の内容】
【手続補正６】
【補正対象書類名】明細書
【補正対象項目名】０００６
【補正方法】変更
【補正の内容】
【０００６】
上記目的を達成するためになされた請求項１の発明は、複数の演出部材構成体が相対的に移動することで、前側から見て、前記複数の演出部材構成体が分離した分離状態と、前記複数の演出部材構成体が近接した合体状態と、に変化する演出部材を備え、前記複数の演出部材構成体には、第１構成体と、前記第１構成体に対して後側にずれて配置される第２構成体と、が設けられ、前記第１構成体より後側で視認困難な待機位置と、前側から見て前記第１構成体に対して前記第２構成体とは反対側に配置される出現位置と、に前後方向と交差する方向に移動可能な可動部材を備えた遊技機である。
【手続補正書】
【提出日】令和1年9月27日(2019.9.27)
【手続補正１】
【補正対象書類名】特許請求の範囲
【補正対象項目名】全文
【補正方法】変更
【補正の内容】
【特許請求の範囲】
【請求項１】
装飾部を備え、
前記装飾部を同じ方向から見た場合の前記装飾部の見え方が、前記装飾部が表す演出要素を第１方向から見た見え方と、前記演出要素を前記第１方向とは異なる第２方向から見た見え方と、に変わるトリックアートを提供する遊技演出手段を備える遊技機。
【請求項２】
前記遊技演出手段は、前記装飾部の姿勢を変化させることで、前記演出要素が前記装飾部の前記姿勢の変化の方向とは異なる方向に向きを変えるように前記演出要素の見え方が変わるトリックアートを提供する、請求項１に記載の遊技機。
【請求項３】
複数の装飾部を組み合わせて遊技を演出する遊技演出手段を備える遊技機であって、
前記遊技演出手段は、特定装飾部と第１装飾部を組み合わせた第１状態における前記特定装飾部の見え方と、前記特定装飾部と第２装飾部を組み合わせた第２状態における前記特定装飾部の見え方と、が変わるトリックアートを提供する遊技機。
【請求項４】
前記遊技演出手段は、
前記第１状態では、前記特定装飾部に前記第１装飾部を接近させる一方で前記特定装飾部から前記第２装飾部を離し、
前記第２状態では、前記特定装飾部に前記第２装飾部を接近させる一方で前記特定装飾部から前記第１装飾部を離す、請求項３に記載の遊技機。
【請求項５】
前記特定装飾部は、前記第１状態では、前記特定装飾部が表す演出要素を第１方向から見た見え方をし、前記第２状態では、同一の前記演出要素を前記第１方向と異なる第２方向から見た見え方をする、請求項３又は４に記載の遊技機。
【請求項６】
前記演出要素は、キャラクターである、請求項１，２，５の何れか１の請求項に記載の遊技機。
【手続補正２】
【補正対象書類名】明細書
【補正対象項目名】０００６
【補正方法】変更
【補正の内容】
【０００６】
上記目的を達成するためになされた請求項１の発明は、装飾部を備え、前記装飾部を同じ方向から見た場合の前記装飾部の見え方が、前記装飾部が表す演出要素を第１方向から見た見え方と、前記演出要素を前記第１方向とは異なる第２方向から見た見え方と、に変わるトリックアートを提供する遊技演出手段を備える遊技機である。
請求項３の発明は、複数の装飾部を組み合わせて遊技を演出する遊技演出手段を備える遊技機であって、前記遊技演出手段は、特定装飾部と第１装飾部を組み合わせた第１状態における前記特定装飾部の見え方と、前記特定装飾部と第２装飾部を組み合わせた第２状態における前記特定装飾部の見え方と、が変わるトリックアートを提供する遊技機である。
【手続補正書】
【提出日】令和1年9月27日(2019.9.27)
【手続補正１】
【補正対象書類名】特許請求の範囲
【補正対象項目名】全文
【補正方法】変更
【補正の内容】
【特許請求の範囲】
【請求項１】
ベース部材にそれぞれ回転可能に支持されて回転駆動される第１と第２のアームと、
前記第１のアームの先端部が回転可能に連結される一方、前記第２のアームの先端部が回転可能かつスライド可能に連結される従動部材と、を備え、
前記第１と第２のアームが回転することで、前記従動部材が姿勢を変化させる遊技機。
【請求項２】
前記第１と第２のアームは、それぞれの先端部に向かうにつれて互いに近づくように延びる配置と、その配置とは反対側に延びかつ各前記先端部に向かうにつれて互いに離れるように延びる配置とに、回転可能となっている、請求項１に記載の遊技機。
【請求項３】
前記第１と第２のアームは、同じ方向に回転する、請求項２に記載の遊技機。
【請求項４】
前記第１と第２のアームは、同じ方向に回転し、
少なくとも一方の前記アームは、その回転範囲の途中で前記第１と第２のアームの回転中心軸間を通過可能な長さになっている、請求項１に記載の遊技機。
【手続補正２】
【補正対象書類名】明細書
【補正対象項目名】０００６
【補正方法】変更
【補正の内容】
【０００６】
上記目的を達成するためになされた請求項１の発明は、ベース部材にそれぞれ回転可能に支持されて回転駆動される第１と第２のアームと、前記第１のアームの先端部が回転可能に連結される一方、前記第２のアームの先端部が回転可能かつスライド可能に連結される従動部材と、を備え、前記第１と第２のアームが回転することで、前記従動部材が姿勢を変化させる遊技機である。
【手続補正書】
【提出日】令和1年9月25日(2019.9.25)
【手続補正１】
【補正対象書類名】特許請求の範囲
【補正対象項目名】全文
【補正方法】変更
【補正の内容】
【特許請求の範囲】
【請求項１】
第１構成体及び第２構成体が遊技盤の前面に沿って相対移動して、前記第１構成体及び前記第２構成体が互いに離間した待機状態と、前記第１構成体及び前記第２構成体が互いに接近した出現状態とに変化する演出部材を構成する遊技機において、
前記出現状態で、前記第１構成体に対して前記第２構成体が相対移動して第１演出状態から第２演出状態に変化する、遊技機。
【請求項２】
前記出現状態で前記第２構成体が前記第１構成体に後方から重なった状態を維持しながら前記第１演出状態から前記第２演出状態に変化する、請求項１に記載の遊技機。
【手続補正２】
【補正対象書類名】明細書
【補正対象項目名】０００４
【補正方法】変更
【補正の内容】
【０００４】
この種の遊技機では、現行の遊技機のさらなる改良が求められていた。
【手続補正３】
【補正対象書類名】明細書
【補正対象項目名】０００５
【補正方法】変更
【補正の内容】
【０００５】
本発明は、上記事情に鑑みてなされたもので、従来より趣向性の高い遊技機の提供を目的とする。
【手続補正４】
【補正対象書類名】明細書
【補正対象項目名】０００６
【補正方法】変更
【補正の内容】
【０００６】
上記目的を達成するためになされた請求項１の発明は、第１構成体及び第２構成体が遊技盤の前面に沿って相対移動して、前記第１構成体及び前記第２構成体が互いに離間した待機状態と、前記第１構成体及び前記第２構成体が互いに接近した出現状態とに変化する演出部材を構成する遊技機において、前記出現状態で、前記第１構成体に対して前記第２構成体が相対移動して第１演出状態から第２演出状態に変化する遊技機である。
【手続補正５】
【補正対象書類名】明細書
【補正対象項目名】０００７
【補正方法】削除
【補正の内容】
【手続補正書】
【提出日】令和1年9月25日(2019.9.25)
【手続補正１】
【補正対象書類名】特許請求の範囲
【補正対象項目名】全文
【補正方法】変更
【補正の内容】
【特許請求の範囲】
【請求項１】
ベース部に回転可能に支持されて回転駆動される回転レバーと、
前記ベース部に形成された１対のカム溝と、
前記回転レバーの先端部に回転可能に連結された回転連結部と前記１対のカム溝内を移動する１対のカムフォロアとを有する可動部材とを備え、
前記回転レバーの回動により前記可動部材を動かして遊技を演出する遊技機において、
前記回転レバーの回動範囲の途中に、前記回転レバーの回転中心と前記回転連結部の中心と前記１対のカムフォロアの中心とが一直線上に並ぶ中心直列位置が設けられている遊技機。
【手続補正２】
【補正対象書類名】明細書
【補正対象項目名】０００６
【補正方法】変更
【補正の内容】
【０００６】
上記目的を達成するためになされた請求項１に係る発明は、ベース部に回転可能に支持されて回転駆動される回転レバーと、前記ベース部に形成された１対のカム溝と、前記回転レバーの先端部に回転可能に連結された回転連結部と前記１対のカム溝内を移動する１対のカムフォロアとを有する可動部材とを備え、前記回転レバーの回動により前記可動部材を動かして遊技を演出する遊技機において、前記回転レバーの回動範囲の途中に、前記回転レバーの回転中心と前記回転連結部の中心と前記１対のカムフォロアの中心とが一直線上に並ぶ中心直列位置が設けられている遊技機である。
【手続補正３】
【補正対象書類名】明細書
【補正対象項目名】０００７
【補正方法】削除
【補正の内容】
【手続補正書】
【提出日】令和1年9月25日(2019.9.25)
【手続補正１】
【補正対象書類名】特許請求の範囲
【補正対象項目名】全文
【補正方法】変更
【補正の内容】
【特許請求の範囲】
【請求項１】
移動可能に支持された第１可動部と、前記第１可動部に移動可能に支持された第２可動部とを有し、それぞれ別々の駆動源からの動力によって移動し、前記第１可動部及び前記第２可動部の何れか一方の可動部が移動を開始するときに他方の可動部が停止状態に保持されて遊技の演出を行う遊技機において、
前記第１可動部材を第１方向に直動させ、
前記第２可動部の移動開始時の移動方向を前記第１方向と略直交させ、途中から移動方向を変化させる遊技機。
【請求項２】
前記第１可動部は、回動可能に支持された中継部材を介して前記駆動源からの動力を受けて移動し、
前記第１可動部を停止状態に保持するときに、前記中継部材をロックするロック手段を備える請求項１に記載の遊技機。
【手続補正２】
【補正対象書類名】明細書
【補正対象項目名】０００６
【補正方法】変更
【補正の内容】
【０００６】
上記目的を達成するためになされた請求項１の発明は、移動可能に支持された第１可動部と、前記第１可動部に移動可能に支持された第２可動部とを有し、それぞれ別々の駆動源からの動力によって移動し、前記第１可動部及び前記第２可動部の何れか一方の可動部が移動を開始するときに他方の可動部が停止状態に保持されて遊技の演出を行う遊技機において、前記第１可動部材を第１方向に直動させ、前記第２可動部の移動開始時の移動方向を前記第１方向と略直交させ、途中から移動方向を変化させる遊技機である。
【手続補正３】
【補正対象書類名】明細書
【補正対象項目名】０００７
【補正方法】削除
【補正の内容】
【手続補正書】
【提出日】令和1年9月24日(2019.9.24)
【手続補正１】
【補正対象書類名】特許請求の範囲
【補正対象項目名】全文
【補正方法】変更
【補正の内容】
【特許請求の範囲】
【請求項１】
第１可動部材と、
前記第１可動部材に搭載された第２可動部材と、
前記第１及び第２の可動部材をそれぞれ駆動する第１及び第２の駆動部と、
一端が前記第２可動部材に連結され、他端が前記第１可動部材を支持する支持ベース部材に連結されて弾性変形し、その弾発力を前記第１及び第２の駆動部の両方へのアシスト力として前記第１及び第２の可動部材に付与する弾性部材とを備える遊技機。
【請求項２】
前記第２駆動部は、前記第１可動部材と前記第２可動部材の連結部に設けられている請求項１に記載の遊技機。
【請求項３】
前記第２可動部材は、前記第１可動部材に移動可能に支持された本体部と、
前記本体部に移動可能に支持された分割体とからなると共に、
前記本体部と前記分割体との間で弾性変形し，前記分割体を前記本体部に対して一定方向に移動するように付勢する第２弾性部材が備えられ、
前記弾性部材は、前記分割体と前記ベース部材との間で弾性変形して、前記第２弾性部材による前記分割体の移動をアシストする請求項１又は２に記載の遊技機。
【請求項４】
前記第１駆動部の駆動によっては、前記第２可動部材は、前記第１可動部材に対して移動しない請求項１乃至３のうち何れか１の請求項に記載の遊技機。
【手続補正２】
【補正対象書類名】明細書
【補正対象項目名】０００６
【補正方法】変更
【補正の内容】
【０００６】
上記目的を達成するためになされた請求項１の発明は、第１可動部材と、前記第１可動部材に搭載された第２可動部材と、前記第１及び第２の可動部材をそれぞれ駆動する第１及び第２の駆動部と、一端が前記第２可動部材に連結され、他端が前記第１可動部材を支持する支持ベース部材に連結されて弾性変形し、その弾発力を前記第１及び第２の駆動部の両方へのアシスト力として前記第１及び第２の可動部材に付与する弾性部材とを備える遊技機である。
【手続補正書】
【提出日】令和1年6月21日(2019.6.21)
【手続補正１】
【補正対象書類名】明細書
【補正対象項目名】０００６
【補正方法】変更
【補正の内容】
【０００６】
上記目的を達成するため、本発明に係る報知装置は、
連続的に画像を取得する取得手段と、
前記取得手段によって連続的に取得された画像から、検出対象に対応する所定の画像領域を取得する探索手段と、
前記探索手段によって前記所定の画像領域が取得された場合、複数種類の信号フォーマット毎の探索規則に対応する時間の最小公倍数の時間分に対応する画像における前記所定の画像領域の光学的な変化から、前記所定の画像領域が外部の送信装置から発光により送信された情報の領域か否かを判定する判定手段と、
前記判定手段による判定結果を報知する報知手段と、
を備えることを特徴とする。
【手続補正２】
【補正対象書類名】特許請求の範囲
【補正対象項目名】全文
【補正方法】変更
【補正の内容】
【特許請求の範囲】
【請求項１】
連続的に画像を取得する取得手段と、
前記取得手段によって連続的に取得された画像から、検出対象に対応する所定の画像領域を取得する探索手段と、
前記探索手段によって前記所定の画像領域が取得された場合、複数種類の信号フォーマット毎の探索規則に対応する時間の最小公倍数の時間分に対応する画像における前記所定の画像領域の光学的な変化から、前記所定の画像領域が外部の送信装置から発光により送信された情報の領域か否かを判定する判定手段と、
前記判定手段による判定結果を報知する報知手段と、
を備えることを特徴とする報知装置。
【請求項２】
前記報知手段は、前記複数種類の信号フォーマット毎の探索規則に対応する情報の内容に基づいて、前記外部の送信装置から発光により送信された情報の領域か否かを報知することを特徴とする請求項１に記載の報知装置。
【請求項３】
前記報知手段は、前記探索手段による前記所定の画像領域の取得の結果、前記所定の画像領域が複数取得された場合、前記所定の画像領域毎に、前記所定の画像領域が前記外部の送信装置から発光により送信された情報の領域か否かを報知することを特徴とする請求項１又は２に記載の報知装置。
【請求項４】
前記報知手段は、表示手段を含むことを特徴とする請求項１から３の何れか１項に記載の報知装置。
【請求項５】
前記表示手段は、前記取得手段により取得された画像に重畳して前記所定の画像領域が前記外部の送信装置から発光により送信された情報の領域か否かを報知することを特徴とする請求項４に記載の報知装置。
【請求項６】
前記検出対象は、移動体であることを特徴とする請求項１から５の何れか１項に記載の報知装置。
【請求項７】
連続的に画像を取得する取得ステップと、
連続的に取得された画像から、検出対象に対応する所定の画像領域を取得する探索ステップと、
前記探索ステップにおいて前記所定の画像領域が取得された場合、複数種類の信号フォーマット毎の探索規則に対応する時間の最小公倍数の時間分に対応する画像における前記所定の画像領域の光学的な変化から、前記所定の画像領域が外部の送信装置から発光により送信された情報の領域か否かを判定する判定ステップと、
前記判定ステップにおける判定結果を報知する報知ステップと、
を含むことを特徴とする報知方法。
【請求項８】
コンピュータを、
連続的に画像を取得する取得手段、
前記取得手段によって連続的に取得された画像から、検出対象に対応する所定の画像領域を取得する探索手段、
前記探索手段によって前記所定の画像領域が取得された場合、複数種類の信号フォーマット毎の探索規則に対応する時間の最小公倍数の時間分に対応する画像における前記所定の画像領域の光学的な変化から、前記所定の画像領域が外部の送信装置から発光により送信された情報の領域か否かを判定する判定手段、
前記判定手段による判定結果を報知する報知手段、
として機能させることを特徴とするプログラム。
【手続補正書】
【提出日】令和1年7月29日(2019.7.29)
【手続補正１】
【補正対象書類名】特許請求の範囲
【補正対象項目名】全文
【補正方法】変更
【補正の内容】
【特許請求の範囲】
【請求項１】
光学系のピント位置を変えながら撮像した複数の画像に対して合成を行い、合成画像を生成する合成手段と、
前記光学系のピント位置を設定するピント位置の設定手段と、
前記撮像した画像のピント位置を異ならせた画像の再構成を行うリフォーカス手段と、を有し、
前記リフォーカス手段は、前記設定したピント位置と前記画像を撮像するときのピント位置との違いに基づいて、前記ピント位置を異ならせた画像の再構成を行うことを特徴とする撮像装置。
【請求項２】
前記画像を撮像する撮像部を有し、
前記撮像部は、１つのマイクロレンズに対して、複数の光電変換部を有することを特徴とする請求項１に記載の撮像装置。
【請求項３】
前記リフォーカス手段は、前記撮像した画像のピント位置の少なくとも一部を、前記設定したピント位置のいずれかになるように、前記ピント位置を異ならせた画像の再構成を行うことを特徴とする請求項１または２に記載の撮像装置。
【請求項４】
前記リフォーカス手段は、前記設定したピント位置と最も近いピント位置をもつ撮像した画像を用いて、前記設定したピント位置になるように、前記画像のピント位置を異ならせた画像の再構成を行うことを特徴とする請求項３に記載の撮像装置。
【請求項５】
撮像時の手振れ情報を取得する手振れ情報の取得手段を有し、
前記リフォーカス手段は、前記手振れ情報に基づいて、前記ピント位置を異ならせた画像の再構成を行うかどうかを決めることを特徴とする請求項１乃至４のいずれか１項に記載の撮像装置。
【請求項６】
前記リフォーカス手段は、前記設定したピント位置と前記撮像するときのピント位置との違いに基づいて、前記ピント位置を異ならせた画像の再構成を行うかどうかを決めることを特徴とする請求項５に記載の撮像装置。
【請求項７】
前記リフォーカス手段は、前記設定したピント位置と前記撮像するときのピント位置との違いが、予め定められた閾値以上であるとき、前記ピント位置を異ならせた画像の再構成を行うことを特徴とする請求項６に記載の撮像装置。
【請求項８】
前記撮像装置が撮像するとき、固定部に固定されているかどうかを検知する固定検知手段を有し、
前記リフォーカス手段は、前記撮像装置が前記固定部に固定されているうち撮像した画像に対して、前記ピント位置を異ならせた画像の再構成を行わないことを特徴とする請求項１乃至７のいずれか１項に記載の撮像装置。
【請求項９】
前記固定部は三脚であることを特徴とする請求項８に記載の撮像装置。
【請求項１０】
リフォーカス範囲を算出するリフォーカス範囲の算出手段を有し、
前記リフォーカス手段は、前記リフォーカス範囲の範囲内で、前記画像のピント位置を異ならせた画像の再構成を行うことを特徴とする請求項１乃至９のいずれか１項に記載の撮像装置。
【請求項１１】
前記画像のピント位置を再設定するピント位置の再設定手段を有し、
前記ピント位置の設定手段が設定したピント位置は、前記撮像した画像のいずれかのピント位置のリフォーカス範囲にないとき、
前記ピント位置の再設定手段は、前記設定したピント位置を再設定することを特徴とする請求項１０に記載の撮像装置。
【請求項１２】
前記ピント位置の再設定手段は、前記撮像した画像のピント位置のリフォーカス範囲の限度にあたる位置で、前記設定したピント位置を再設定することを特徴とする請求項１１に記載の撮像装置。
【請求項１３】
前記ピント位置の再設定手段は、少なくとも一部の再設定した後のピント位置が、等間隔になるように、前記再設定を行うことを特徴とする請求項１１または１２に記載の撮像装置。
【請求項１４】
前記設定したピント位置は、複数の前記撮像した画像のピント位置の前記リフォーカス範囲にあるとき、
前記複数の前記撮像した画像のうち、リフォーカス補正量の最も少ないものに対して、前記設定したピント位置になるようにリフォーカスを行うことを特徴とする請求項１０乃至１３のいずれか１項に記載の撮像装置。
【請求項１５】
光学系のピント位置を変えながら撮像した複数の画像に対して合成を行い、合成画像を生成する合成ステップと、
前記光学系のピント位置を設定するピント位置の設定ステップと、
前記撮像した画像のピント位置を異ならせた画像の再構成を行うリフォーカスステップと、を有し、
前記リフォーカスステップにおいて、前記設定したピント位置と前記画像を撮像するときのピント位置との違いに基づいて、前記ピント位置を異ならせた画像の再構成を行うことを特徴とする撮像方法。
【請求項１６】
撮像装置のコンピュータに動作させるプログラムであって、
前記コンピュータに、
光学系のピント位置を変えながら撮像した複数の画像に対して合成を行い、合成画像を生成する合成ステップと、
前記光学系のピント位置を設定するピント位置の設定ステップと、
前記撮像した画像のピント位置を異ならせた画像の再構成を行うリフォーカスステップと、を行わせ、
前記リフォーカスステップにおいて、前記設定したピント位置と前記画像を撮像するときのピント位置との違いに基づいて、前記ピント位置を異ならせた画像の再構成を行うことを特徴とするコンピュータのプログラム。
【手続補正書】
【提出日】令和1年9月13日(2019.9.13)
【手続補正１】
【補正対象書類名】特許請求の範囲
【補正対象項目名】全文
【補正方法】変更
【補正の内容】
【特許請求の範囲】
【請求項１】
制御装置と、少なくとも１つのプロジェクターとを備えるプロジェクションシステムであって、
前記制御装置と前記プロジェクター、又は、前記制御装置と前記プロジェクター、及び各々の前記プロジェクターは、ケーブルを介してデイジーチェーン接続され、
前記ケーブルは、画像データを伝送するデータ線を有し、
前記制御装置は、前記プロジェクターを制御する制御情報を、前記画像データとともに前記データ線を介して前記プロジェクターに出力し、
前記プロジェクターは、前記ケーブルの前記データ線から入力される前記制御情報を取り出して処理し、
前記制御装置にデイジーチェーン接続された前記プロジェクターのうち末端に位置する前記プロジェクターと、前記制御装置とを、ループ用ケーブルにより接続し、
前記ループ用ケーブルは画像データを伝送するデータ線を有し、
前記プロジェクターのうち末端に位置する前記プロジェクターは、前記ループ用ケーブルの前記データ線に前記制御情報を出力し、
前記制御装置は、前記ループ用ケーブルの前記データ線から入力される前記制御情報を取り出して処理するプロジェクションシステム。
【請求項２】
前記プロジェクションシステムは、前記プロジェクターを複数備え、
各々の前記プロジェクターに、前記プロジェクターを識別する識別情報が設定され、
前記制御装置は、前記制御情報を、宛先の前記プロジェクターの識別情報とともに前記ケーブルに出力し、
前記プロジェクターは、前記ケーブルから入力される前記制御情報のうち、設定された前記識別情報を含む前記制御情報に対応する処理を実行し、実行した処理の結果を示す結果情報を前記ケーブルの前記データ線に出力する請求項１に記載のプロジェクションシステム。
【請求項３】
前記末端に位置する前記プロジェクターは、他の前記プロジェクターが前記ケーブルに出力した前記結果情報を、前記ループ用ケーブルの前記データ線に出力する請求項２記載のプロジェクションシステム。
【請求項４】
前記末端に位置する前記プロジェクターは、前記ケーブルから入力される前記画像データのデータ量を小さくした低容量画像データと前記結果情報とを、前記ループ用ケーブルの前記データ線に出力する請求項２又は３記載のプロジェクションシステム。
【請求項５】
前記プロジェクションシステムは、前記プロジェクターを１つ備え、
前記プロジェクターには、前記プロジェクターを識別する識別情報が設定され、
前記制御装置は、前記制御情報を、前記プロジェクターの識別情報とともに前記ケーブルに出力し、
前記プロジェクターは、前記ケーブルから入力される前記制御情報に対応する処理を実行し、実行した処理の結果を示す結果情報を、前記ループ用ケーブルの前記データ線に出力する請求項１記載のプロジェクションシステム。
【請求項６】
前記プロジェクターは、前記ケーブルから入力される前記画像データのデータ量を小さくした低容量画像データと前記結果情報とを、前記ループ用ケーブルの前記データ線に出力する請求項５記載のプロジェクションシステム。
【請求項７】
前記ケーブルはＨＤＭＩ（登録商標）ケーブルであり、
前記制御装置及び前記プロジェクターは、前記制御情報を、ＨＤＭＩプロトコルのインフォフレームに含めて前記データ線に出力する請求項１から５のいずれかに記載のプロジェクションシステム。
【請求項８】
複数の前記プロジェクターが投射する画像を投射面において重ね合わせて、タイリング画像を投射し、
前記制御装置が出力する前記制御情報は、前記タイリング画像における各々の前記プロジェクターが投射する画像の位置を設定する設定情報、及び前記タイリング画像において前記画像が重ね合わされる重畳領域に対するエッジブレンディング処理に関する設定情報のうち、少なくともいずれかを含む請求項１から７のいずれか１項に記載のプロジェクションシステム。
【請求項９】
前記制御装置は、画像を投射するプロジェクターである請求項１から８のいずれかに記載のプロジェクションシステム。
【請求項１０】
少なくとも１つのプロジェクターとともにプロジェクションシステムを構成する制御装置であって、
前記制御装置と前記プロジェクター、又は前記制御装置と前記プロジェクター、及び各々の前記プロジェクターは、画像データを伝送するデータ線を有するケーブルを介してデイジーチェーン接続され、
前記制御装置は、前記プロジェクターを制御する制御情報を、前記画像データとともに前記データ線を介して前記プロジェクターに出力する送信部を備え、
前記制御装置にデイジーチェーン接続された前記プロジェクターのうち末端に位置する前記プロジェクターと、前記制御装置とを、ループ用ケーブルにより接続し、
前記ループ用ケーブルは画像データを伝送するデータ線を有し、
前記制御装置は、前記プロジェクターのうち末端に位置する前記プロジェクターから前記ループ用ケーブルの前記データ線に出力され、前記ループ用ケーブルの前記データ線から前記制御装置に入力される前記制御情報を取り出して処理する制御装置。
【請求項１１】
制御装置と、少なくとも１つのプロジェクターとを備えるプロジェクションシステムの制御方法であって、
前記制御装置と前記プロジェクター、又は、前記制御装置と前記プロジェクター、及び各々の前記プロジェクターは、ケーブルを介してデイジーチェーン接続され、
前記ケーブルは、画像データを伝送するデータ線を有し、
前記制御装置は、前記プロジェクターを制御する制御情報を、前記画像データとともに前記データ線を介して前記プロジェクターに出力し、
前記プロジェクターは、前記ケーブルの前記データ線から入力される前記制御情報を取り出して処理し、
前記制御装置にデイジーチェーン接続された前記プロジェクターのうち末端に位置する前記プロジェクターと、前記制御装置とを、ループ用ケーブルにより接続し、
前記ループ用ケーブルは画像データを伝送するデータ線を有し、
前記制御装置は、前記プロジェクターのうち末端に位置する前記プロジェクターから前記ループ用ケーブルの前記データ線に出力され、前記ループ用ケーブルの前記データ線から前記制御装置に入力される前記制御情報を取り出して処理するプロジェクションシステムの制御方法。
【手続補正書】
【提出日】令和1年9月20日(2019.9.20)
【手続補正１】
【補正対象書類名】特許請求の範囲
【補正対象項目名】全文
【補正方法】変更
【補正の内容】
【特許請求の範囲】
【請求項１】
記憶部および操作部を備える画像形成装置であって、
前記画像形成装置を利用するために個別認証が必要とされないゲストユーザによって操作可能な第１及び第２の情報処理装置から受信した印刷データを、それぞれの情報処理装置を識別するための識別情報に関連づけて前記記憶部に保存する保存手段と、
前記第１の情報処理装置および前記第２の情報処理装置それぞれから受信した印刷データが前記保存手段に保存されている場合、ゲストユーザとしての前記画像形成装置へのログインに応じて、前記第１の情報処理装置から受信した印刷データのリストを表示するための指示を受け付ける第１のボタンおよび前記第２の情報処理装置から受信した印刷データのリストを表示するための指示を受け付ける第２のボタンを前記操作部に表示する表示手段と、
を有することを特徴とする画像形成装置。
【請求項２】
前記表示手段は、前記ゲストユーザによって、
前記第１のボタンによる表示指示を受け付けた場合、前記第１の情報処理装置から受信した印刷データのリストを前記操作部に表示し、
前記第２のボタンによる表示指示を受け付けた場合、前記第１の情報処理装置から受信した印刷データのリストを前記操作部に表示する、
ことを特徴とする請求項１に記載の画像形成装置。
【請求項３】
前記操作部に表示される前記リストから選択された印刷データの印刷を実行する実行手段をさらに有することを特徴とする請求項１または２に記載の画像形成装置。
【請求項４】
記憶部および操作部を備える画像形成装置の制御方法であって、
前記画像形成装置を利用するために個別認証が必要とされないゲストユーザによって操作可能な第１及び第２の情報処理装置から受信した印刷データを、それぞれの情報処理装置を識別するための識別情報に関連づけて前記記憶部に保存する保存工程と、
前記第１の情報処理装置および前記第２の情報処理装置それぞれから受信した印刷データが前記保存手段に保存されている場合、ゲストユーザとしての前記画像形成装置へのログインに応じて、前記第１の情報処理装置から受信した印刷データのリストを表示するための指示を受け付ける第１のボタンおよび前記第２の情報処理装置から受信した印刷データのリストを表示するための指示を受け付ける第２のボタンを前記操作部に表示する表示工程と、
を有することを特徴とする制御方法。
【請求項５】
コンピュータを、請求項１乃至３のいずれか１項に記載の画像形成装置として機能させるためのプログラム。
【手続補正２】
【補正対象書類名】明細書
【補正対象項目名】０００６
【補正方法】変更
【補正の内容】
【０００６】
本発明に係る画像形成装置は、記憶部および操作部を備える画像形成装置であって、前記画像形成装置を利用するために個別認証が必要とされないゲストユーザによって操作可能な第１及び第２の情報処理装置から受信した印刷データを、それぞれの情報処理装置を識別するための識別情報に関連づけて前記記憶部に保存する保存手段と、前記第１の情報処理装置および前記第２の情報処理装置それぞれから受信した印刷データが前記保存手段に保存されている場合、ゲストユーザとしての前記画像形成装置へのログインに応じて、前記第１の情報処理装置から受信した印刷データのリストを表示するための指示を受け付ける第１のボタンおよび前記第２の情報処理装置から受信した印刷データのリストを表示するための指示を受け付ける第２のボタンを前記操作部に表示する表示手段と、を有することを特徴とする。
【手続補正書】
【提出日】令和1年9月20日(2019.9.20)
【手続補正１】
【補正対象書類名】特許請求の範囲
【補正対象項目名】全文
【補正方法】変更
【補正の内容】
【特許請求の範囲】
【請求項１】
複数のブロックを有し、電力を供給する第１モードと、該第１モードよりも消費電力の低い第２モードとを前記ブロックごとに制御可能なメモリモジュールと、
アクセスするアドレスをインクリメントしながら一つのブロックにアクセスする制御手段と、
アクセスするアドレスに基づき、次にアクセスする他のブロックを前記第２モードから前記第１モードに移行させる電力制御手段と、を有することを特徴とする情報処理装置。
【請求項２】
前記メモリモジュールは、処理対象の画像データの主走査方向に１ライン分の画像データを記憶するラインバッファであることを特徴とする請求項１に記載の情報処理装置。
【請求項３】
画像データの主走査方向について該画像データを処理するタイミングを調整するための主走査カウンタをさらに備え、
前記電力制御手段は、前記主走査カウンタによるカウントに従って、前記他のブロックの電力制御を行うことを特徴とする請求項２に記載の情報処理装置。
【請求項４】
前記電力制御手段は、アクセスするアドレスが前記他のブロックの先頭アドレスよりも所定の値だけ前のアドレスである場合に、前記他のブロックを前記第２モードから前記第１モードに移行させることを特徴とする請求項１乃至３のいずれか一項に記載の情報処理装置。
【請求項５】
前記所定の値は、前記他のブロックが前記第２モードから前記第１モードへ移行するのに要する期間に基づくことを特徴とする請求項４に記載の情報処理装置。
【請求項６】
フィルタ処理を行う画像処理手段をさらに有し、
前記メモリモジュールは、前記画像処理手段により処理される画像データを記憶することを特徴とする請求項１乃至５のいずれか一項に記載の情報処理装置。
【請求項７】
前記情報処理装置は複数の前記メモリモジュールを有し、
各メモリモジュールは、処理対象の画像データにおける主走査方向のラインごとにデータを保持するラインバッファであり、複数の前記メモリモジュールに跨った２次元のエリアであって、所定のアドレスごとに複数の前記エリアに分割されることを特徴とする請求項１乃至６のいずれか一項に記載の情報処理装置。
【請求項８】
画像データの主走査方向について該画像データを処理するタイミングを調整するための主走査カウンタと
画像データの副走査方向について該画像データを処理するタイミングを調整するための副走査カウンタとをさらに備え、
前記電力制御手段は、アクセスするアドレスと、前記主走査カウンタによるカウントと、前記副走査カウンタによるカウントとに従って、複数の前記メモリモジュールに跨ったエリアごとに省電力制御を行うことを特徴とする請求項７に記載の情報処理装置。
【請求項９】
ハーフトーン処理を行う画像処理手段をさらに有し、
前記メモリモジュールは前記ハーフトーン処理がなされる画像データを記憶することを特徴とする請求項１乃至５のいずれか一項に記載の情報処理装置。
【請求項１０】
前記ブロックは、前記ハーフトーン処理に用いられるディザしきい値マトリクスに対応することを特徴とする請求項９に記載の情報処理装置。
【請求項１１】
前記メモリモジュールは、ＳＲＡＭであることを特徴とする請求項１乃至１０のいずれか一項に記載の情報処理装置。
【請求項１２】
複数のブロックを有し、電力を供給する第１モードと、該第１モードよりも消費電力の低い第２モードとを前記ブロックごとに制御可能なメモリモジュールを有する情報処理装置の制御方法であって、
アクセスするアドレスをインクリメントしながら一つのブロックにアクセスする制御工程と、
アクセスするアドレスに基づき、次にアクセスする他のブロックを前記第２モードから前記第１モードに移行させる電力制御工程と、を有することを特徴とする情報処理装置の制御方法。
【請求項１３】
請求項１２に記載の情報処理装置の制御方法の各工程をコンピュータに実行させるためのプログラム。
【手続補正２】
【補正対象書類名】明細書
【補正対象項目名】発明の名称
【補正方法】変更
【補正の内容】
【発明の名称】情報処理装置、その制御方法、及びプログラム
【手続補正３】
【補正対象書類名】明細書
【補正対象項目名】０００１
【補正方法】変更
【補正の内容】
【０００１】
本発明は、低消費電力モードを備えるＳＲＡＭを利用する情報処理装置、その制御方法、及びプログラムに関する。
【手続補正４】
【補正対象書類名】明細書
【補正対象項目名】０００９
【補正方法】変更
【補正の内容】
【０００９】
本発明は、複数のブロックを有し、電力を供給する第１モードと、該第１モードよりも消費電力の低い第２モードとを前記ブロックごとに制御可能なメモリモジュールと、アクセスするアドレスをインクリメントしながら一つのブロックにアクセスする制御手段と、アクセスするアドレスに基づき、次にアクセスする他のブロックを前記第２モードから前記第１モードに移行させる電力制御手段と、を有することを特徴とする。
【手続補正書】
【提出日】令和1年8月6日(2019.8.6)
【手続補正１】
【補正対象書類名】特許請求の範囲
【補正対象項目名】全文
【補正方法】変更
【補正の内容】
【特許請求の範囲】
【請求項１】
通信装置であって、
ＩＰｖ６アドレスのプレフィクス情報を含むパケットを受信する受信手段と、
前記通信装置のＩＰｖ６アドレスの設定に関する所定の機能が制限された第１の動作モードで動作している際に前記受信手段が前記パケットを受信した場合、前記プレフィクス情報に基づいて、前記通信装置の第１のＩＰｖ６アドレスを生成する生成手段と、
前記通信装置に既に設定されている第２のＩＰｖ６アドレスと、前記生成手段により生成された前記第１のＩＰｖ６アドレスと、が一致するかを判定する第１の判定手段と、
前記第１の判定手段により前記第２のＩＰｖ６アドレスと前記第１のＩＰｖ６アドレスとが一致していると判定された場合、前記第１の動作モードから、前記所定の機能が実行可能な第２の動作モードに切り替えず、
前記第２のＩＰｖ６アドレスと前記第１のＩＰｖ６アドレスとが一致していると判定されなかった場合、前記第１の動作モードから前記第２の動作モードに切り替える切替手段と、
を有することを特徴とする通信装置。
【請求項２】
前記受信手段により受信されたパケットがＩＰｖ６アドレスの生成に用いられるパケットかを判定する第２の判定手段を更に有し、
前記生成手段は、該受信したパケットがＩＰｖ６アドレスの生成に用いられるパケットであると判定された場合、前記第1のＩＰｖ６アドレスを生成することを特徴とする請求項１に記載の通信装置。
【請求項３】
前記通信装置が保持するＩＰｖ６アドレスの数が、保持できるＩＰｖ６アドレスの数の上限値に達した場合、前記第２のＩＰｖ６アドレスと前記第１のＩＰｖ６アドレスとが一致していると判定されなかった場合であっても、前記切替手段は、前記第１の動作モードから前記第２の動作モードに切り替えないことを特徴とする請求項１または２に記載の通信装置。
【請求項４】
前記切替手段は更に、前記第２のＩＰｖ６アドレスの有効期限に応じて、前記第１の動作モードから前記第２の動作モードに切り替えることを特徴とする請求項１から３のいずれか１項に記載の通信装置。
【請求項５】
前記プレフィクス情報を含む受信パケットは、ルータ広告パケット、または、Ｔｙｐｅが１３４のＩＣＭＰｖ６パケットであることを特徴とする請求項１から４のいずれか１項に記載の通信装置。
【請求項６】
前記第１の動作モードで動作している時よりも前記第２の動作モードで動作している時の方が、前記通信装置は、多くの電力を消費することを特徴とする請求項１から５のいずれか１項に記載の通信装置。
【請求項７】
前記第１の動作モードから前記第２の動作モードに切り替えた後に、前記通信装置のアドレスとして、前記生成手段により生成された前記第1のＩＰｖ６アドレスを設定する設定手段を更に有することを特徴とする請求項１から６のいずれか１項に記載の通信装置。
【請求項８】
通信装置の制御方法であって、
ＩＰｖ６アドレスのプレフィクス情報を含むパケットを受信する受信工程と、
前記通信装置のＩＰｖ６アドレスの設定に関する所定の機能が制限された第１の動作モードで動作している際に前記パケットを受信した場合、前記プレフィクス情報に基づいて、前記通信装置の第１のＩＰｖ６アドレスを生成する生成工程と、
前記通信装置に既に設定されている第２のＩＰｖ６アドレスと、前記生成工程において生成された前記第１のＩＰｖ６アドレスと、が一致するかを判定する判定工程と、
前記第２のＩＰｖ６アドレスと前記第１のＩＰｖ６アドレスとが一致していると判定された場合、前記第１の動作モードから、前記所定の機能が実行可能な第２の動作モードに切り替えず、
前記第２のＩＰｖ６アドレスと前記第１のIPv6アドレスとが一致していると判定されなかった場合、前記第１の動作モードから前記第２の動作モードに切り替える切替工程と、
を有することを特徴とする制御方法。
【請求項９】
コンピュータを請求項１から７のいずれか１項に記載の通信装置として動作させるためのプログラム。
【手続補正２】
【補正対象書類名】明細書
【補正対象項目名】発明の名称
【補正方法】変更
【補正の内容】
【発明の名称】通信装置およびその制御方法
【手続補正３】
【補正対象書類名】明細書
【補正対象項目名】０００１
【補正方法】変更
【補正の内容】
【０００１】
本発明は、通信装置およびその制御方法に関する。
【手続補正４】
【補正対象書類名】明細書
【補正対象項目名】００１２
【補正方法】変更
【補正の内容】
【００１２】
上記課題を解決するために、本発明の一態様による通信装置は、ＩＰｖ６アドレスのプレフィクス情報を含むパケットを受信する受信手段と、前記通信装置のＩＰｖ６アドレスの設定に関する所定の機能が制限された第１の動作モードで動作している際に前記受信手段が前記パケットを受信した場合、前記プレフィクス情報に基づいて、前記通信装置の第１のIPv6アドレスを生成する生成手段と、前記通信装置に既に設定されている第２のIPv6アドレスと、前記生成手段により生成された前記第１のＩＰｖ６アドレスと、が一致するかを判定する第１の判定手段と、前記第１の判定手段により前記第２のＩＰｖ６アドレスと前記第１のＩＰｖ６アドレスとが一致していると判定された場合、前記第１の動作モードから、前記所定の機能が実行可能な第２の動作モードに切り替えず、前記第２のＩＰｖ６アドレスと前記第１のＩＰｖ６アドレスとが一致していると判定されなかった場合、前記第１の動作モードから前記第２の動作モードに切り替える切替手段と、を有する。
【手続補正書】
【提出日】令和1年9月25日(2019.9.25)
【手続補正１】
【補正対象書類名】特許請求の範囲
【補正対象項目名】全文
【補正方法】変更
【補正の内容】
【特許請求の範囲】
【請求項１】
第一手段を利用して実行される第一演出および前記第一手段とは異なる第二手段を利用して実行される第二演出を制御可能な演出制御手段を備え、
前記演出制御手段により前記第一演出を遊技者が予測不可能なタイミングで発生させる場合の態様として、
前記第一演出と前記第二演出とを併せて発生させる複合演出態様、
および前記第二演出を発生させずに前記第一演出を発生させる単独演出態様
が設定されていることを特徴とする遊技機。